(57)【要約】  本発明の画像表示システム１０は、表示装置１１と、入力機器１２が指し示す表示装置１１の表示面上の位置を検出する検出装置１３と、入力機器１２を用いた表示面への書き込みに応じて、書き込みが開始された表示面上の位置に応じた設定に従い、書き込みに応じた画像を表示装置１１に表示させる表示制御装置１４とを有し、設定は、複数設けられた基準点により決定される表示面上の領域に応じてそれぞれ異なる。
2016027365.tif 000002
【特許請求の範囲】
【請求項１】
表示装置と、
入力機器が指し示す前記表示装置の表示面上の位置を検出する検出装置と、
前記入力機器を用いた前記表示面への書き込みに応じて、前記書き込みが開始された前記表示面上の位置に応じた設定に従い、前記書き込みに応じた画像を前記表示装置に表示させる表示制御装置とを有し、
前記設定は、複数設けられた基準点により決定される前記表示面上の領域に応じてそれぞれ異なることを特徴とする画像表示システム。
【請求項２】
表示装置の表示面上の位置を指し示す入力機器を用いた前記表示面への書き込みに応じて、前記書き込みが開始された前記表示面上の位置に応じた設定に従い、前記書き込みに応じた画像を前記表示装置に表示させる表示制御部を有し、
前記設定は、複数設けられた基準点により決定される前記表示面上の領域に応じてそれぞれ異なることを特徴とする表示制御装置。
【請求項３】
請求項２記載の表示制御装置において、
前記表示制御部は、前記入力機器が指し示す前記表示装置の表示面上の位置を検出する検出装置から、前記入力機器が指し示す前記表示面上の位置に対応する検出結果を受信し、前記受信した検出結果に基づいて前記書き込みが開始されたと判定することを特徴とする表示制御装置。
【請求項４】
請求項２または３記載の表示制御装置において、
前記表示制御部は、隣り合う前記基準点を結ぶ線分の中点を通り、前記線分と直交する線分に基づいて前記領域を設定することを特徴とする表示制御装置。
【請求項５】
請求項２または３記載の表示制御装置において、
前記表示制御部は、隣り合う前記基準点を結ぶ直線の中点と、前記中点を頂点とし、前記表示面に応じた縦横比を有する矩形の前記中点に対向する頂点と、を通る線分に基づいて前記領域を設定することを特徴とする表示制御装置。
【請求項６】
請求項２から５のいずれか１項に記載の表示制御装置において、
前記表示制御部は、書き込みが終了すると、前記書き込みが終了した前記表示面上の位置に応じて前記基準点の位置を変更することを特徴とする表示制御装置。
【請求項７】
請求項２から６のいずれか１項に記載の表示制御装置において、
前記表示制御部は、前記表示面への書き込みに応じた画像の表示に関する設定を示すダイアログを前記表示装置に表示させ、該ダイアログに対応する位置に、前記基準点を設定することを特徴とする表示制御装置。
【請求項８】
請求項２から７のいずれか１項に記載の表示制御装置において、
前記表示制御部は、前記書き込みが終了した後、所定の時間内に、または、書き込みが終了した位置から所定の範囲内で、新たに書き込みが行われた場合、前回の書き込みと同じ設定に従い、前記新たな書き込みに応じた画像を前記表示装置に表示させることを特徴とする表示制御装置。
【請求項９】
表示部と、
請求項２から８のいずれか１項に記載の表示制御装置と、を備えることを特徴とする表示装置。
【請求項１０】
表示装置の表示制御方法であって、
表示装置の表示面上の位置を指し示す入力機器を用いた前記表示面への書き込みに応じて、前記書き込みが開始された前記表示面上の位置に応じた設定に従い、前記書き込みに応じた画像を前記表示装置に表示させ、
前記設定は、複数設けられた基準点により決定される前記表示面上の領域に応じてそれぞれ異なることを特徴とする表示制御方法。
【発明の詳細な説明】
【技術分野】
【０００１】
本発明は、画像表示システム、表示制御装置、表示装置、および表示制御方法に関する。
【背景技術】
【０００２】
プロジェクターや液晶ディスプレイなどの表示装置を利用した画像表示システムの１つとして、インタラクティブホワイトボード（ＩＷＢ：Ｉｎｔｅｒａｃｔｉｖｅ  Ｗｈｉｔｅ  Ｂｏａｒｄ）システムがある。ＩＷＢシステムとは、電子ペンなどの入力機器を用いて、表示装置の表示画像を操作することができるシステムである。ＩＷＢシステムでは、ユーザーが入力機器を用いて表示装置の表示面上に書き込みを行なうと、その書き込みに応じた入力機器が指し示す位置が検出され、その検出結果に基づき、書き込みに応じた画像（例えば、入力機器が指し示す位置の軌跡）が、表示装置の表示画像に重畳して表示される。ＩＷＢシステムによれば、ユーザーは、あたかも手書きで書き込むようにして、表示画像に文字や図形を書き加えることができる。【０００３】
ＩＷＢシステムでは、複数のユーザーが異なる入力機器を用いて書き込みを行なう場合がある。この場合、各ユーザーの書き込みに応じた画像を、異なる色で表示するなどして、区別できることが望ましい。【０００４】
複数のユーザーの書き込みに応じた画像を区別するための方法として、特許文献１（特開２０１３−１６４４８９号公報）には、複数の入力機器それぞれに固有の識別情報を割り当て、書き込みが行われる際には、書き込みに用いられる入力機器の識別情報を検出する方法が開示されている。この方法によれば、複数のユーザーが異なる入力機器を用いて書き込みを行なった場合にも、書き込みに用いられた各入力機器を識別することができるので、各入力機器を用いた書き込みに応じた画像を、異なる色や線種で表示するなどして、区別することができる。【０００５】
また、別の方法として、表示装置の表示面を分割（例えば、左右に分割）し、各領域への書き込みに応じた画像を異なる態様で表示させる方法がある。ＩＷＢシステムにおいて複数のユーザー（例えば、二人のユーザー）が書き込みを行なう場合、一方のユーザーは表示装置の右側に位置して表示画像の右側を中心に書き込みを行い、他方のユーザーは表示装置の左側に位置して表示画像の左側を中心に書き込みを行なうことが多いと考えられる。この場合、表示画像を左右に分割し、左側の領域への書き込みに応じた画像と右側の領域への書き込みに応じた画像とを異なる態様で表示することで、複数のユーザーの書き込みに応じた画像を区別することができる。
【先行技術文献】
【特許文献】
【０００６】
【特許文献１】特開２０１３−１６４４８９号公報
【発明の概要】
【発明が解決しようとする課題】
【０００７】
特許文献１に開示されている方法では、固有の識別情報が割り当てられた入力機器や、入力機器に割り当てられた識別情報を識別するアプリケーション（描画アプリケーション）が必要となる。これらは異なるＩＷＢシステム間で流用することが難しいため、特許文献１に開示されている方法には、汎用性に欠けるという問題がある。
表示装置の表示画像を分割し、書き込みが行われた表示に応じて、書き込みに応じた画像を異なる態様で表示させる方法では、入力機器に固有の識別情報を割り当てる必要が無く、汎用性を確保することができる。しかし、この方法では、各ユーザーが書き込むことができる領域が制限されてしまうため、利便性に欠けるという問題がある。
本発明の目的は、汎用性を確保しつつ、複数のユーザーの書き込みに応じた画像の区別を可能とし、利便性の向上を図ることができる画像表紙システム、表示制御装置、表示装置、および表示制御方法を提供することにある。
【課題を解決するための手段】
【０００８】
上記目的を達成するために本発明の画像表示システムは、
表示装置と、
入力機器が指し示す前記表示装置の表示面上の位置を検出する検出装置と、
前記入力機器を用いた前記表示面への書き込みに応じて、前記書き込みが開始された前記表示面上の位置に応じた設定に従い、前記書き込みに応じた画像を前記表示装置に表示させる表示制御装置とを有し、
前記設定は、複数設けられた基準点により決定される前記表示面上の領域に応じてそれぞれ異なる。【０００９】
上記目的を達成するために本発明の表示制御装置は、
表示装置の表示面上の位置を指し示す入力機器を用いた前記表示面への書き込みに応じて、前記書き込みが開始された前記表示面上の位置に応じた設定に従い、前記書き込みに応じた画像を前記表示装置に表示させる表示制御部を有し、
前記設定は、複数設けられた基準点により決定される前記表示面上の領域に応じてそれぞれ異なる。【００１０】
上記目的を達成するために本発明の表示装置は、
表示部と、
上述した表示制御装置と、を有する。【００１１】
上記目的を達成するために本発明の表示制御方法は、
表示装置の表示制御方法であって、
表示装置の表示面上の位置を指し示す入力機器を用いた前記表示面への書き込みに応じて、前記書き込みが開始された前記表示面上の位置に応じた設定に従い、前記書き込みに応じた画像を前記表示装置に表示させ、
前記設定は、複数設けられた基準点により決定される前記表示面上の領域に応じてそれぞれ異なる。
【発明の効果】
【００１２】
本発明によれば、汎用性を確保しつつ、複数のユーザーが書き込んだ画像の区別を可能とし、利便性の向上を図ることができる。
【図面の簡単な説明】
【００１３】
【図１】本発明の一実施形態の画像表示システムの構成を示す図である。
【図２】本発明の一実施形態の画像表示システムの他の構成を示す図である。
【図３】図１，２に示す表示制御装置の要部構成を示すブロック図である。
【図４】図１，２に示す表示装置の表示の一例を示す図である。
【図５】図１，２に示す表示制御装置の動作を示すフローチャートである。
【図６】図１，２に示す表示制御装置の、描画画像の表示に関する設定の選択時の動作を説明するための図である。
【図７】図１，２に示す表示制御装置の変形例１に係る動作を説明するための図である。
【図８】図１，２に示す表示制御装置の変形例１に係る動作を説明するための図である。
【図９】図１，２に示す表示制御装置の変形例２に係る動作を説明するための図である。
【図１０】図１，２に示す表示制御装置の変形例２に係る動作を説明するための図である。
【図１１】図１，２に示す表示制御装置の変形例３に係る動作を説明するための図である。
【図１２】図１，２に示す表示制御装置の変形例３に係る動作を説明するための図である。
【図１３】図１，２に示す表示制御装置の変形例４に係る動作を説明するための図である。
【図１４】図１，２に示す表示制御装置の変形例４に係る動作を説明するための図である。
【図１５】本発明に係る表示装置の構成の一例を示すブロック図である。
【発明を実施するための形態】
【００１４】
以下に、本発明を実施するための形態について図面を参照して説明する。
【００１５】
図１は、本発明の一実施形態の画像表示システム１０の構成を示す図である。画像表示システム１０は、電子ペンなどの入力機器を用いた表示装置の表示面への書き込みが行われると、その書き込みに応じて入力機器が指し示す位置を検出し、その検出結果に基づき、書き込みに応じた画像を表示装置に表示させる、いわゆる、ＩＷＢシステムである。
【００１６】
図１に示す画像表示システム１０は、表示装置１１と、複数の入力機器１２（１２ａ，１２ｂ）と、検出装置１３と、表示制御装置１４とを有する。
表示装置１１は、例えば、液晶ディスプレイなどであり、表示制御装置１４の制御に従い画像を表示する。
入力機器１２は、ユーザーが表示装置１１の表示画像上の位置を指し示すために用いられる入力機器であり、例えば、ペン状の本体を有している。ユーザーは、表示装置１１の表示画像上の所望の位置を指し示す場合、例えば、入力機器１２の本体の先端部（ペン先）でその位置を押圧する。その押圧に応じて、入力機器１２は、赤外線を出力する。
検出装置１３は、撮影機能を有しており、表示装置１１の表示面全体が撮影できるように設けられている。検出装置１３は、撮影画像における、入力機器１２の赤外線の出力位置と表示装置１１の表示面の位置とを検出する。入力機器１２が指し示す表示装置１１の表示面上の位置は、検出装置１３が検出した検出結果に基づいて、判定される。検出装置１３は、入力機器１２が指し示す表示装置１１の表示面上の位置に対応する信号（検出結果）を表示制御装置１４に出力する。
表示制御装置１４は、例えば、パーソナルコンピュータなどであり、表示装置１１の表示を制御する。例えば、表示制御装置１４は、入力機器１２を用いた表示装置１１の表示面への書き込みが行われ、その書き込みに応じて入力機器１２が指し示す位置の検出結果が検出装置１３から出力されると、その検出結果に基づき、書き込みに応じた画像を表示装置１１に表示させる。
【００１７】
なお、図１においては、表示装置１１が、液晶ディスプレイなどのディスプレイである場合を例として説明したが、表示装置１１は、投射型表示装置であるプロジェクターであってもよい。
図２は、表示装置１１がプロジェクターである場合の、画像表示システム１０の構成を示す図である。なお、図２において、図１と同様の構成については、同じ符号を付して説明を省略する。
表示装置１１がプロジェクターである場合、図２に示すように、表示装置１１は、表示制御装置１４の制御に従い、画像を投射面１５に投射表示する。また、検出装置１３は、表示装置１１の投射範囲（表示面）全体が撮影できるように設けられる。
【００１８】
次に、表示制御装置１４の構成について説明する。なお、表示装置１１、入力機器１２および検出装置１３の構成は、当業者によく知られており、本発明と直接関係しないため、説明を省略する。
図３は、表示制御装置１４の要部構成を示すブロック図である。
図３に示す表示制御装置１４は、表示制御部１４１を有する。
表示制御部１４１は、表示制御装置１４が有する、図３においては不図示の通信部を介して、表示装置１１や検出装置１３と通信を行い、表示装置１１の表示を制御する。例えば、表示制御装置１４１は、入力機器１２を用いた書き込みに応じた、検出装置１３の検出結果を、通信部を介して検出装置１３から受信すると、その検出結果に基づき書き込みに応じた画像を表示装置１１に表示させる。
【００１９】
次に、本実施形態の画像表示システム１０の動作について説明する。
図４は、表示装置１１の表示面１１ａを示す図である。
表示制御装置１４（表示制御部１４１）は、入力機器１２を用いた書き込みに応じた画像（以下、描画画像と称する）の表示に関する設定として、描画画像を表示する色や線種が異なる複数のパターンを記憶している。表示制御装置１４は、描画画像の表示に関する異なる設定それぞれに対応するダイアログ１０１（１０１ａ、１０１ｂ）を表示装置１１に表示させる。
【００２０】
上述したダイアログ１０１が表示された状態で、入力機器１２ａ，１２ｂを用いて書き込み（表示面１１ａ上の位置の指し示し）が開始されたとする。以下では、図４に示すように、入力機器１２ａを用いた書き込みの開始点を点１０２ａとし、入力機器１２ｂを用いた書き込みの開始点を点１０２ｂとする。
【００２１】
検出装置１３の検出結果に基づいて書き込みが開始されたと判定すると、表示制御装置１４（表示制御部１４１）は、その書き込みに応じた描画画像の表示に関する設定を選択する。図５は、描画画像の表示に関する設定の選択時の表示制御装置１４（表示制御部１４１）の動作を示すフローチャートである。
まず、表示制御装置１４は、図６に示すように、ダイアログ１０１ａ，１０１ｂそれぞれに対応する基準点１０３（１０３ａ，１０３ｂ）を設定する。次に、表示制御装置１４は、基準点１０３ａと基準点１０３ｂとを結ぶ線分１０４の中点１０５を通り、線分１０４と直交する線分１０６を求める。線分１０６により、表示面１１ａは、２つの領域、すなわち、ダイアログ１０１ａ（基準点１０３ａ）を含む領域と、ダイアログ１０１ｂ（基準点１０３ｂ）を含む領域とに分割される。
表示制御装置１４は、書き込みが開始されたことを検出すると（ステップＳ１１）、その書き込みの開始点が含まれる領域に含まれるダイアログは、ダイアログ１０１ａであるか、ダイアログ１０１ｂであるかを判定する（ステップＳ１２）。
【００２２】
表示制御装置１４は、書き込みの開始点が含まれる領域にダイアログ１０１ａが含まれると判定すると、その書き込みに応じた描画画像の表示に関する設定として、ダイアログ１０１ａに対応する設定を選択する（ステップＳ１３）。また、表示制御装置１４は、書き込みの開始点がダイアログ１０１ｂに近いと判定すると、その書き込みに応じた描画画像の表示に関する設定として、ダイアログ１０１ａに対応する設定を選択する（ステップＳ１４）。
【００２３】
図６に示す例では、点１０２ａはダイアログ１０１ａを含む領域に含まれているため、表示制御装置１４は、点１０２ａから開始された書き込みに応じた描画画像を、ダイアログ１０１ａに対応する設定に従って表示装置１１に表示させる。また、点１０２ｂはダイアログ１０１ｂを含む領域に含まれているため、表示制御装置１４は、点１０２ｂから開始された書き込みに応じた描画画像を、ダイアログ１０１ｂに対応する設定に従って表示装置１１に表示させる。
【００２４】
このように、表示制御装置１４は、複数設けられた基準点に基づいて表示面１１ａ上に複数の領域を設定し、各領域に、それぞれ異なる描画画像の表示に関する設定（各領域に含まれるダイアログに対応する設定）を対応付けている。そして、表示制御装置１４は、書き込みが開始されると、その書き込みの開始点の位置に応じた設定、すなわち、書き込みの開始点が含まれる領域に対応する設定に従い、その書き込みに応じた描画画像を表示させる。なお、表示制御装置１４では、各書き込みが、入力機器１２ａを用いて行われたものであるのか、入力機器１２ｂを用いて行われたものであるのかは分からない。しかし、書き込みの開始点を基準として、書き込みに応じた描画画像の表示の態様を変更することで、各ユーザーの書き込みに応じた画像を区別して表示することができる。
【００２５】
このように本実施形態によれば、画像表示システム１は、表示装置１１と、入力機器１２が指し示す表示装置１１の表示面上の位置を検出する検出装置１３と、表示制御装置１４とを有する。表示制御装置１４は、入力機器を用いた表示面への書き込みに応じて検出装置１３から検出結果が出力されると、その書き込みに開始点に応じた設定に従い、書き込みに応じた画像を表示装置１１に表示させる。ここで、書き込みに応じた画像の表示に関する設定は、複数設けられた基準点により決定される表示装置１１の表示面上の領域に応じてそれぞれ異なっている。
そのため、複数の入力機器１２を用いて書き込みが行われる場合に、書き込みを開始する表示面上の位置を変えるだけで、各書き込みに応じた画像を異なる設定に従い表示させることができる。また、書き込みが開始された位置に応じて、その書き込みに応じた画像の表示に関する設定が決まるので、ユーザーが書き込みを行なうことができる範囲が制限されることもない。そのため、利便性の向上を図ることができる。
また、識別情報が割り当てられた専用の入力機器などを用いることなく、複数の入力機器を用いた書き込みに応じた各画像を区別して表示することができるので、入力機器や描画アプリケーションなどの汎用性を確保することができる。
【００２６】
（変形例１）
上述した実施形態においては、ダイアログが２つである場合である例を用いて説明したが、本発明はこれに限れられるものではなく、ダイアログは３つ以上であってもよい。
表示制御装置１４は、例えば、図７に示すように、３つのダイアログ１０１（１０１ａ，１０１ｂ，１０１ｃ）を表示させている場合、以下のようにして、描画画像の表示に関する設定を選択する。
すなわち、表示制御装置１４は、図８に示すように、ダイアログ１０１ａの基準点１０３ａとダイアログ１０１ｂの基準点１０３ｂとを結ぶ線分の中点を通り、その線分を直交する線分２０１を求める。また、表示制御装置１４は、ダイアログ１０１ｂの基準点１０３ｂとダイアログ１０１ｃの基準点１０３ｃとを結ぶ線分の中点を通り、その線分を直交する線分２０２を求める。また、表示制御装置１４は、ダイアログ１０１ｃの基準点１０３ｃとダイアログ１０１ａの基準点１０３ａとを結ぶ線分の中点を通り、その線分を直交する線分２０３を求める。
そして、表示制御装置１４は、書き込みの開始点が、ダイアログ１０１ａを含み、線分２０１と線分２０３とで区画される領域に含まれる場合には、その書き込みに応じた描画画像をダイアログ１０１ａに対応する設定に従って表示する。また、表示制御装置１４は、書き込みの開始点が、ダイアログ１０１ｂを含み、線分２０１と線分２０２とで区画される領域に含まれる場合には、その書き込みに応じた描画画像をダイアログ１０１ｂに対応する設定に従って表示する。また、表示制御装置１４は、書き込みの開始点が、ダイアログ１０１ｃを含み、線分２０２と線分２０３とで区画される領域に含まれる場合には、その書き込みに応じた描画画像をダイアログ１０１ｃに対応する設定に従って表示する。
【００２７】
なお、描画画像の表示に関する設定の選択に用いる境界線（線分２０１〜２０３）の決定方法は上述した方法に限られるものではなく、ダイアログの近傍の領域が、そのダイアログを含む領域に含まれるように決定するのが望ましい。こうすることで、ダイアログに近い点から書き込みを開始することで、その書き込みに応じた描画画像が、そのダイアログに対応する設定に従い表示されるので、ユーザーにとっては、直感的に自身が書き込んだ画像がどのように表示されるのか分かり易くなる。なお、ダイアログの数は４以上であってもよい。
【００２８】
（変形例２）
上述した実施形態においては、２つの基準点を結ぶ線分の中点を通り、その線分と直交する線分を境界線として用いていたが、本発明はこれに限られるものではなく、例えば、表示面の縦横比（アスペクト比）に応じて境界線を決定してもよい。
具体的には、表示制御装置１４は、図９に示すように、基準点１０３ａと基準点１０３ｂとを結ぶ線分１０４の中点１０５と、中点１０５を頂点とする縦横比が３：４の長方形３０１の中点１０５と対向する頂点とを通る線分３０２を境界として決定する。
こうすることで、ユーザーの使用形態により合せた境界線を設定することができる。
【００２９】
例えば、表示面１１ａの形状が横長である場合、ダイアログ１０１ａの近傍から書き込みを開始したユーザーは、図１０の白抜き矢印で示すように、横方向に沿って、描画画像３０３の書き込みを行なった後、新たに描画画像３０４の書き込みを行なうことがある。この場合、描画画像３０４の書き込みの開始点は、図６において説明した方法に従って設定された境界線（線分１０６（図１０においては２点鎖線で図示））を超えてしまうことがある。描画画像３０４の書き込みの開始点が境界線（線分１０６）を越えてしまうと、描画画像３０４は、ダイアログ１０２ｂに対応する設定に従って表示されてしまい、同じユーザーの書き込み応じた描画画像３０３と描画画像３０４とが異なる態様で表示されてしまうことになる。
一方、本変形例によれば、図１０に示すように、描画画像３０４の書き込みの開始点もダイアログ１０１ａが含まれる領域に含まれるので、描画画像３０３も描画画像３０４も、同じ態様で表示させることができる。
【００３０】
（変形例３）
図１１に示すように、ダイアログ１０１ａが含まれる領域内の開始点４０１ａから書き込みが開始された描画画像４０１の書き込みの終了点４０１ｂが境界線（線分１０６）を越えてしまうことがある。この場合であっても、描画画像４０１の書き込みの開始点４０１ａは、ダイアログ１０１ａが含まれる領域に含まれるため、描画画像４０１は、ダイアログ１０１ａに対応する設定に従って表示される。
描画画像４０１の書き込みに続いて、同じユーザーが、描画画像４０１の書き込みの終了点４０１ｂの近傍の点４０２ａから描画画像４０２の書き込みを行なったとする。この場合、描画画像４０２の書き込みの開始点４０２ａは、ダイアログ１０１ｂが含まれる領域に含まれるため、上述した実施形態では、描画画像４０２は、ダイアログ１０１ｂに対応する設定に従って表示される。したがって、上述した実施形態では、同じユーザーが、ある描画画像の書き込みに続いて、別の描画画像を書き込んだときに、先の書き込みに応じた描画画像と後の書き込みに応じた描画画像とが異なる態様で表示されてしまうことがある。
【００３１】
本変形例においては、表示制御装置１４は、上述したような場合にも、先の書き込みに応じた描画画像と後の書き込みに応じた描画画像とが異なる態様で表示されてしまうことを防ぐために、以下のような動作を行なう。
すなわち、本変形例では、表示制御装置１４は、書き込みが終了すると、書き込みの終了点を中心として、所定の範囲（例えば、書き込みの終了点を中心として、所定の半径を有する円）を設定する。そして、表示制御装置１４は、書き込みの終了後、新たな書き込みの開始点の開始点が、設定した所定の範囲内にある場合には、後の書き込みに応じた描画画像も先の書き込みに応じた描画画像と同じ態様で表示させる。
図１２に示す例では、描画画像４０２の書き込みの開始点４０２ａは、描画画像４０１の書き込みの終了点４０１ｂの中心として、所定の半径の円４０３内に含まれている。この場合、表示制御装置１４は、描画画像４０２の開始点４０２ａはダイアログ１０１ｂを含む領域に含まれていても、描画画像４０２をダイアログ１０１ａに対応する設定に従って表示させる。こうすることで、ユーザーが境界線（線分１０６）を跨いで複数の描画画像の書き込みを行なった場合にも、複数の描画画像を同じ態様で表示させることができる。
【００３２】
なお、表示制御装置１４は、先の書き込みが終了した後、所定の時間内に新たな書き込みが開始された場合にも、先の書き込みに応じた描画画像と後の書き込みに応じた描画画像とを同じ態様で表示させるようにしてもよい。
【００３３】
（変形例４）
上述した実施形態においては、表示制御装置１４は、ダイアログ１０１（基準点１０３）の位置を固定していたが、ダイアログ１０１（基準点１０３）の位置を動的に変更してもよい。
具体的には、本変形例においては、表示制御装置１４は、基準点の位置を変更する場合、前回の書き込みの終了点を、新たな基準点として設定する。こうすることで、前回の書き込みの終了点の近傍から新たに書き込みを行なう場合に、先の書き込みに応じた描画画像と後の書き込みに応じた描画画像とを同じ態様で表示させることができる。
なお、画像表示システムの電源起動直後など、前回の書き込みの終了点がない場合、上述した実施形態と同様に、ダイアログ１０１ａ、１０１ｂそれぞれに対応する基準点１０３ａ、１０３ｂが用いられてもよい。
【００３４】
以下、具体例を用いて説明する。
図１３に示すように、入力機器１２ａを用いて、ダイアログ１０１ａが含まれる領域に含まれる点５０１ａを開始点として、描画画像５０１の書き込みが行われたとする。また、ダイアログ１０１ｂが含まれる領域に含まれる点５０２ａを開始点として、描画画像５０２の書き込みが行われたとする。その後、基準点を変更する場合、表示制御装置１４は、図１４に示すように、描画画像５０１の書き込みの終了点５０１ｂを、ダイアログ１０１ａに対応する新たな基準点５０３ａとし、描画画像５０２の書き込みの終了点５０２ｂを、ダイアログ１０１ｂに対応する新たな基準点５０３ｂとする。基準点が変更されることで、図１４に示すように、描画画像の表示に関する設定を選択するための境界線も、線分１０６から線分４０４に変更される。
このように、基準点を変更することで、例えば、ユーザーが、書き終えた後、その書き込みの終了点の近傍から別の書き込みを行なう際に、先の書き込みに応じた描画画像と後の書き込みに応じた描画画像とを同じ態様で表示させることができる。
【００３５】
なお、上述した実施形態において、表示制御装置は、表示装置に内蔵されるように構成されてもよい。また、表示制御装置は、表示装置を介して検出装置と通信を行うように構成されてもよい。また、表示制御装置は、検出装置を介して表示装置と通信を行うように構成されてもよい。図１５は、表示制御装置（表示制御部）を内蔵する表示装置の構成を示すブロック図である。
図１５に示す表示装置１１Ａは、表示部１１１と、表示制御部１１２とを有する。
表示部１１１は、表示制御部１１２の制御に従い画像を表示する。
表示制御部１１２は、表示装置１１Ａが有する、図１５においては不図示の通信部を介して、検出装置１３と通信を行い、表示部１１１の表示を制御する。例えば、表示制御部１１２は、入力機器１２を用いた表示部１１１の表示面への書き込みに応じた、検出装置１３の検出結果を、通信部を介して検出装置１３から受信すると、その検出結果に基づき書き込みに応じた画像を表示部１１１に表示させる。なお、表示制御部１１２が行う表示制御の動作は、表示制御部１１１が行う表示制御の動作と同様であるため、詳細な説明は省略する。
【００３６】
以上、実施形態を参照して本願発明を説明したが、本発明は上記実施形態に限定されるものではない。本願発明の構成や詳細には、本願発明の範囲内で当業者が理解し得る様々な変更をすることができる。
【図１】
2016027365.tif 000003
【図２】
2016027365.tif 000004
【図３】
2016027365.tif 000005
【図４】
2016027365.tif 000006
【図５】
2016027365.tif 000007
【図６】
2016027365.tif 000008
【図７】
2016027365.tif 000009
【図８】
2016027365.tif 000010
【図９】
2016027365.tif 000011
【図１０】
2016027365.tif 000012
【図１１】
2016027365.tif 000013
【図１２】
2016027365.tif 000014
【図１３】
2016027365.tif 000015
【図１４】
2016027365.tif 000016
【図１５】
2016027365.tif 000017
【国際調査報告】
2016027365.tif 000018
2016027365.tif 000019